(57)【要約】  周辺機器毎に状態情報などの機器関連データをカスタマイズして表示可能とすることで、周辺機器の情報表示における拡張性を高める。周辺機器情報表示システムは、ＴＶ２０とレコーダ１０とがＨＤＭＩ接続されて構成される。ＴＶ２０は、レコーダ１０の機器関連データを配置する表示領域を識別するための領域識別情報を含む表示領域情報を記憶した記憶部２９を備える。レコーダ１０は、ＴＶ２０から取得した表示領域情報に応じて、レコーダ１０の機器関連データを領域識別情報に対応付けてＴＶ２０に送信するＬＡＮＩ／Ｆ１８を備える。ＴＶ２０は、レコーダ１０から送信された機器関連データを、その領域識別情報で識別される表示領域に配置して表示する。
2011040152.tif 000002
【特許請求の範囲】
【請求項１】
少なくとも１つの周辺機器と、該周辺機器の機器関連データを表示可能な表示装置とが接続された周辺機器情報表示システムであって、
前記表示装置は、前記周辺機器の機器関連データを配置する表示領域を識別するための領域識別情報を含む表示領域情報を記憶した記憶手段を備え、
前記周辺機器は、前記表示装置から取得した前記表示領域情報に応じて、前記周辺機器の機器関連データを前記領域識別情報に対応付けて前記表示装置に送信する機器関連データ送信手段を備え、
前記表示装置は、前記周辺機器から送信された前記機器関連データを、前記領域識別情報で識別される表示領域に配置して表示することを特徴とする周辺機器情報表示システム。
【請求項２】
請求項１に記載の周辺機器情報表示システムにおいて、前記表示装置は、入力映像信号の表示領域と、前記周辺機器の機器関連データの表示領域とが重ならないように、前記入力映像信号をスケーリングすることを特徴とする周辺機器情報表示システム。
【請求項３】
請求項１又は２に記載の周辺機器情報表示システムにおいて、前記機器関連データは、前記周辺機器の動作状態を示す状態情報であり、前記周辺機器は、該周辺機器の動作状態が変化したときに、該変化した動作状態を前記表示装置に送信し、前記表示装置は、前記周辺機器から送信された前記動作状態に基づいて、画面表示中の状態情報を更新することを特徴とする周辺機器情報表示システム。
【請求項４】
請求項１〜３のいずれか１項に記載の周辺機器情報表示システムにおいて、前記表示領域情報は、前記周辺機器の機器関連データを表示する表示領域のサイズ、表示位置を含む情報であることを特徴とする周辺機器情報表示システム。
【請求項５】
請求項４に記載の周辺機器情報表示システムにおいて、前記周辺機器は、前記機器関連データを前記領域識別情報に対応付けて前記表示装置に送信する際に、該領域識別情報で識別される表示領域に収まるように、前記機器関連データをレイアウトすることを特徴とする周辺機器情報表示システム。
【請求項６】
請求項５に記載の周辺機器情報表示システムにおいて、前記周辺機器は、前記レイアウト後の機器関連データの前記表示領域における配置位置を、該表示領域のサイズに合わせて調整するためのオフセット情報を前記表示装置に送信することを特徴とする周辺機器情報表示システム。
【請求項７】
請求項５に記載の周辺機器情報表示システムにおいて、前記周辺機器は、前記レイアウト後の機器関連データの表示サイズを、前記表示領域のサイズに合わせてリサイズすることを特徴とする周辺機器情報表示システム。
【請求項８】
請求項１〜７のいずれか１項に記載の周辺機器情報表示システムにおいて、前記表示装置は、前記周辺機器が前記周辺機器情報表示システムによる情報表示機能に対応しているか否かを判定し、対応している場合、前記表示領域情報を前記周辺機器に送信することを特徴とする周辺機器情報表示システム。
【請求項９】
請求項１〜８のいずれか１項に記載の周辺機器情報表示システムを構成する表示装置。
【請求項１０】
請求項１〜８のいずれか１項に記載の周辺機器情報表示システムを構成する周辺機器。
【発明の詳細な説明】
【技術分野】
【０００１】
本発明は、周辺機器情報表示システム、表示装置、及び周辺機器に関し、表示装置に該表示装置に接続された周辺機器の状態情報などの機器関連データを表示可能な周辺機器情報表示システム、該システムを構成する表示装置、及び周辺機器に関する。
【背景技術】
【０００２】
従来、テレビ装置（ＴＶ）に対して、レコーダ、プレーヤ、ＳＴＢ（Set Top Box）、ＡＶアンプなどの周辺機器を接続して、テレビに周辺機器の情報を表示したり、テレビから周辺機器を操作したりすることが行われている。例えば、特許文献１には、画面上に周辺機器の操作パネル情報を表示することができるテレビ受像機が記載されている。この特許文献１に記載のテレビ受像機の場合、リモコンのメニュー表示キーが押下されると、テレビ受像機に接続された周辺機器として、ＶＴＲ、ＶＨＤ、ＢＳチューナ、文字多重受信機などが選択可能に画面表示される。そして、ユーザがリモコンを操作して、いずれかの周辺機器を選択指示すると、その機器に応じた操作パネル情報がテレビの画面上に表示される。
【先行技術文献】
【特許文献】
【０００３】
【特許文献１】特開昭６２−２１３７９号公報
【発明の概要】
【発明が解決しようとする課題】
【０００４】
しかしながら、上記特許文献１に記載の方法では、テレビ側で予め周辺機器の操作パネル等の表示情報を準備しておき、ユーザの指示により表示情報を切り替えるようになっているため、常に決まった周辺機器としか接続することができない。すなわち、テレビ側では特定の周辺機器の情報を予め保持しているため、特定の周辺機器が接続された場合には対応する情報を表示させることができるが、これ以外の他の周辺機器が接続された場合には対応する情報を保持していないため表示させることができない。【０００５】
このように、従来、テレビに周辺機器の情報を表示する場合には、テレビが予め保持する情報に対応した周辺機器に限定されてしまうため、ユーザからすると、新たな周辺機器をテレビに接続しようとしても、テレビに周辺機器の情報を表示できない場合があり、周辺機器の情報表示における拡張性に乏しいという問題があった。【０００６】
本発明は、上述のごとき実情に鑑みてなされたもので、周辺機器毎に状態情報などの機器関連データをカスタマイズして表示可能とすることで、周辺機器の情報表示における拡張性を高めることができる周辺機器情報表示システム、該システムを構成する表示装置、及び周辺機器を提供すること、を目的とする。
【課題を解決するための手段】
【０００７】
上記課題を解決するために、本発明の第１の技術手段は、少なくとも１つの周辺機器と、該周辺機器の機器関連データを表示可能な表示装置とが接続された周辺機器情報表示システムであって、前記表示装置は、前記周辺機器の機器関連データを配置する表示領域を識別するための領域識別情報を含む表示領域情報を記憶した記憶手段を備え、前記周辺機器は、前記表示装置から取得した前記表示領域情報に応じて、前記周辺機器の機器関連データを前記領域識別情報に対応付けて前記表示装置に送信する機器関連データ送信手段を備え、前記表示装置は、前記周辺機器から送信された前記機器関連データを、前記領域識別情報で識別される表示領域に配置して表示することを特徴としたものである。【０００８】
第２の技術手段は、第１の技術手段において、前記表示装置は、入力映像信号の表示領域と、前記周辺機器の機器関連データの表示領域とが重ならないように、前記入力映像信号をスケーリングすることを特徴としたものである。【０００９】
第３の技術手段は、第１又は第２の技術手段において、前記機器関連データは、前記周辺機器の動作状態を示す状態情報であり、前記周辺機器は、該周辺機器の動作状態が変化したときに、該変化した動作状態を前記表示装置に送信し、前記表示装置は、前記周辺機器から送信された前記動作状態に基づいて、画面表示中の状態情報を更新することを特徴としたものである。【００１０】
第４の技術手段は、第１〜第３のいずれか１の技術手段において、前記表示領域情報は、前記周辺機器の機器関連データを表示する表示領域のサイズ、表示位置を含む情報であることを特徴としたものである。【００１１】
第５の技術手段は、第４の技術手段において、前記周辺機器は、前記機器関連データを前記領域識別情報に対応付けて前記表示装置に送信する際に、該領域識別情報で識別される表示領域に収まるように、前記機器関連データをレイアウトすることを特徴としたものである。【００１２】
第６の技術手段は、第５の技術手段において、前記周辺機器は、前記レイアウト後の機器関連データの前記表示領域における配置位置を、該表示領域のサイズに合わせて調整するためのオフセット情報を前記表示装置に送信することを特徴としたものである。【００１３】
第７の技術手段は、第５の技術手段において、前記周辺機器は、前記レイアウト後の機器関連データの表示サイズを、前記表示領域のサイズに合わせてリサイズすることを特徴としたものである。【００１４】
第８の技術手段は、第１〜第７のいずれか１の技術手段において、前記表示装置は、前記周辺機器が前記周辺機器情報表示システムによる情報表示機能に対応しているか否かを判定し、対応している場合、前記表示領域情報を前記周辺機器に送信することを特徴としたものである。【００１５】
第９の技術手段は、第１〜第８のいずれか１の技術手段における周辺機器制御システムを構成する表示装置である。【００１６】
第１０の技術手段は、第１〜第８のいずれか１の技術手段における周辺機器制御システムを構成する周辺機器である。
【発明の効果】
【００１７】
本発明によれば、周辺機器毎に状態情報などの機器関連データをカスタマイズして表示することができるため、周辺機器の情報表示における拡張性を高めることができる。また、これにより、家庭内の機器がテレビを中心に繋がり、テレビからより多くの機器の情報表示を行うことが可能となる。
【図面の簡単な説明】
【００１８】
【図１】本発明に係る周辺機器情報表示システムの構成例を示す図である。
【図２】図１に示した周辺機器情報表示システムの構成例を説明するためのブロック図である。
【図３】ＴＶの表示画面におけるレコーダの機器関連データの表示領域の設定例を説明するための図である。
【図４】レコーダの機器関連データをレイアウトした後の表示サイズの一例を示す図である。
【図５】ＴＶの画面において、レコーダの機器関連データを表示する情報表示領域の配置例を示す図である。
【図６】ＴＶの画面において、レコーダの機器関連データを表示する情報表示領域の配置の他の例を示す図である。
【図７】ＴＶの画面において、レコーダの機器関連データを表示する情報表示領域の配置の他の例を示す図である。
【図８】レコーダがＴＶから表示領域情報を取得する方法の一例を説明するための図である。
【図９】レコーダにおける表示サイズ最適化処理の一例を説明するための図である。
【図１０】機器関連データのオフセット処理の一例を説明するための図である。
【図１１】機器関連データを領域１に配置する場合の処理の一例を説明するための図である。
【図１２】情報表示領域の領域２をブランクにする場合の処理の一例を説明するための図である。
【図１３】ＴＶに複数の周辺機器を接続した場合の機器関連データの表示手順の一例を示す図である。
【図１４】周辺機器の機器関連データの他の表示例を示す図である。
【図１５】本発明に係る機器関連データの表示例について説明するための図である。
【図１６】洗濯機の機器関連データの一例を示す図である。
【図１７】ワイアレスカメラシステムの機器関連データの一例を示す図である。
【発明を実施するための形態】
【００１９】
以下、添付図面を参照しながら、本発明の周辺機器情報表示システム、該システムを構成する表示装置、及び周辺機器に係る好適な実施の形態について説明する。なお、本発明の実施形態においては、表示装置と周辺機器との間をＨＤＭＩ（High Definition Multimedia Interface）で接続した場合について説明する。
【００２０】
より具体的には、２００９年５月２８日付けで発表されたＨＤＭＩの規格（バージョン１.４）から、ＨＤＭＩケーブル上でイーサネット（登録商標）信号の双方向通信を行うＨＤＭＩ  Ｅｔｈｅｒｎｅｔ（登録商標）  Ｃｈａｎｎｅｌ（以下、ＨＤＭＩ  ＨＥＣという）という機能が追加されており、このＨＤＭＩ  ＨＥＣ対応のＨＤＭＩを利用するものとする。勿論、通信手段としては、このＨＤＭＩに限らず、ＨＤＭＩ ＣＥＣ（Consumer Electronics Control）や、ＩＥＥＥ１３９４、ＬＡＮ（Local Area Network）、電力線通信（ＰＬＣ：Power Line Communications）、無線通信、光通信などを利用してもよい。
【００２１】
図１は、本発明に係る周辺機器情報表示システムの構成例を示す図で、図中、１０は周辺機器の一例である録画装置（レコーダ）、２０は表示装置（ＴＶ）、４０はＨＤＭＩ  ＨＥＣ対応のＨＤＭＩケーブルを示す。レコーダ１０とＴＶ２０とはＨＤＭＩケーブル４０を介して相互に接続されており、ケーブル一本で映像・音声信号の伝送や、イーサネット（登録商標）信号の伝送、機器間制御用のコマンドを伝送することができる。
【００２２】
ここで、ＨＤＭＩについて簡単に説明する。ＨＤＭＩは、ＴＶとレコーダなどの周辺機器間をデジタル接続するためのデジタルインタフェースであり、ＰＣとディスプレイの接続標準規格であるＤＶＩに音声伝送機能や著作権保護機能を加えて、ＡＶ機器向けにアレンジしたものとなっている。従来は機器間の接続にビデオ、オーディオ，コントロールの各信号用の複数のケーブルを用いていたが、ＨＤＭＩではケーブル１本で済むために、機器間の配線を簡略化することができる。
【００２３】
ＨＤＭＩに関する規格は規格化団体であるＨＤＭＩ  Ｌｉｃｅｎｓｉｎｇ，ＬＬＣにより２００２年１２月に基本仕様が策定され（ＨＤＭＩ規格バージョン１.０）、２００５年１２月（ＨＤＭＩ規格バージョン１.２ａ）においてＡＶ機器間のコントロールを行うための制御プロトコルとしてＣＥＣ（Consumer Electronics Control）の規定が追加された。
【００２４】
なお、ＣＥＣに関する用語は、ＨＤＭＩ規格の「２.２  Ｇｌｏｓｓａｒｙ  ｏｆ  Ｔｅｒｍｓ」，「ＣＥＣ  ２.２  Ｇｌｏｓｓａｒｙ  ｏｆ  Ｔｅｒｍｓ」他に定義されており、ＨＤＭＩ入力端子を持ちＡＶストリームを表示出力するものはシンク（Ｓｉｎｋ）機器と、ＨＤＭＩ出力端子を持ちＡＶストリームを出力するものはソース（Source）機器と、ＨＤＭＩ入力端子と出力端子を持ちＡＶストリームの入出力（転送）を行うものはリピータ（Repeater）機器と定義されている。
【００２５】
ＨＤＭＩ規格ではＣＥＣを使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビでデジタル放送を視聴しているときに、ＨＤＭＩで接続されたＤＶＤプレーヤを再生すると、テレビは自動的にＤＶＤプレーヤの接続された入力に切り換える。また、このＤＶＤプレーヤで表示しているメニュー操作や、電源のオン／オフなどをテレビのリモコンから操作することができる。
【００２６】
図２は、図１に示した周辺機器情報表示システムの構成例を説明するためのブロック図で、レコーダ１０とＴＶ２０とがＨＤＭＩケーブル４０を介して接続されている構成を示すものである。
【００２７】
ＨＤＭＩケーブル４０は、デジタル信号である映像・音声ストリームを差動方式で伝送するＴＭＤＳ（Transition Minimized Differential Signaling）ライン４１と、機器間で共通の制御信号（ＣＥＣメッセージ）を伝送する双方向バスであるＣＥＣライン４２と、イーサネット（登録商標）信号の双方向通信を行うＨＥＣライン４３とを含んでいる。またこの他に、ＨＤＭＩケーブル４０には、ＥＤＩＤ（Extended Display Identification Data）の送信や、ＨＤＣＰ（High-bandwidth Digital Content Protection system）認証等に利用されるＩ２Ｃラインが含まれる。
【００２８】
レコーダ１０は、ＨＤＭＩトランスミッタ１１、メインマイコン１２、フロントマイコン１３、ＣＥＣＩ／Ｆ１４、通信Ｉ／Ｆ１５、リモコン受光部１６、ＨＤＭＩコネクタ１７、ＬＡＮＩ／Ｆ１８、及び記憶部１９を備えている。
【００２９】
ＨＤＭＩトランスミッタ１１は、ＨＤＭＩコネクタ１７を介してＨＤＭＩケーブル４０内のＴＭＤＳライン４１と接続され、例えばＢＤやＤＶＤなどの記録メディアに記録されている映像データと音声データとを読み出し、音声信号が映像信号のブランキング期間に挿入されたＨＤＭＩ形式のストリームに変換する。そして、変換したストリームをＴＭＤＳライン４１によってＴＶ２０へ伝送する。
また、メインマイコン１２は、装置全体を制御するメインＣＰＵであって、ＨＤＭＩコントローラを含み、ＨＤＭＩトランスミッタ１１及びＬＡＮＩ／Ｆ１８の動作を制御する。
【００３０】
また、ＣＥＣＩ／Ｆ１４は、ＨＤＭＩコネクタ１７を介してＨＤＭＩケーブル４０内のＣＥＣライン４２と接続され、ＴＶ２０との間でＣＥＣメッセージの双方向通信を可能とする。ＣＥＣＩ／Ｆ１４の動作は、ＣＥＣコントローラを含むフロントマイコン１３により制御され、ＣＥＣメッセージによってＨＤＭＩ接続された機器を制御することができる。ＣＥＣの場合、ＨＤＭＩ接続された各機器の論理アドレス（機器の種別）と物理アドレス（機器の位置）が取得されるため、これらの論理アドレスと物理アドレスを指定することで所望の機器にＣＥＣメッセージを送信することができる。
【００３１】
また、フロントマイコン１３は、低電力で動作し、常にＣＥＣライン４２から転送されてくるＣＥＣメッセージを監視する。フロントマイコン１３は、サブＣＰＵであって、図示しないリモコン装置からのリモコン信号を受信するリモコン受光部１６を制御している。そして装置のスタンバイモードなどにおいてメインマイコン１２の電源がオフされているときでも、フロントマイコン１３が動作し、ＣＥＣメッセージの送受信とリモコン信号の受信とが可能な状態で維持している。
【００３２】
また、通信Ｉ／Ｆ１５は、ＨＤＭＩ以外でＴＶ２０との通信を行うためのもので、例えば、ＩＥＥＥ１３９４や、ＬＡＮ、ＰＬＣ、無線通信、光通信などの通信手段によりＴＶ２０と接続することもできる。
また、ＬＡＮＩ／Ｆ１８は、ＨＤＭＩコネクタ１７を介してＨＤＭＩケーブル４０内のＨＥＣライン４３と接続され、ＴＶ２０との間でイーサネット（登録商標）信号の双方向通信を可能とする。このＬＡＮＩ／Ｆ１８は、ＨＤＭＩトランスミッタ１１に内蔵されていてもよい。
【００３３】
また、記憶部１９は、ＨＤＭＩにおける論理アドレス、物理アドレスなどを記憶するＥＥＰＲＯＭ（Electrically Erasable and Programmable Read Only Memory）などの不揮発性メモリである。記憶部１９は、フロントマイコン１３あるいはメインマイコン１２により必要に応じてアクセスされ、データの読み出しや書き込みが実行される。なお、記憶部１９は、ＥＥＰＲＯＭに限定されず、例えば、ＨＤ（ハードディスク）や、フラッシュメモリなどであってもよい。
【００３４】
ＴＶ２０は、メインマイコン２１、ＨＤＭＩレシーバ２２、モニターマイコン２３、ＣＥＣＩ／Ｆ２４、通信Ｉ／Ｆ２５、リモコン受光部２６、ＨＤＭＩコネクタ２７、ＬＡＮＩ／Ｆ２８、記憶部２９、及び表示部３０を備えている。なお、チューナの記載は省略しているものとする。
【００３５】
ＨＤＭＩレシーバ２２は、ＨＤＭＩコネクタ２７を介してＨＤＭＩケーブル４０内のＴＭＤＳライン４１と接続され、レコーダ１０から転送されたストリームを受信する。このＨＤＭＩレシーバ２２はメインマイコン２１に内蔵されていてもよい。
また、メインマイコン２１は、装置全体を制御するメインＣＰＵであって、ＨＤＭＩコントローラを含み、ＨＤＭＩレシーバ２２及びＬＡＮＩ／Ｆ２８の動作を制御する。
【００３６】
ＣＥＣＩ／Ｆ２４は、ＨＤＭＩコネクタ２７を介してＨＤＭＩケーブル４０内のＣＥＣライン４２と接続され、レコーダ１０との間でＣＥＣメッセージの双方向通信を可能とする。ＣＥＣＩ／Ｆ２４の動作は、ＣＥＣコントローラを含むモニターマイコン２３により制御され、ＣＥＣメッセージによってＨＤＭＩ接続された機器を制御することができる。
【００３７】
また、モニターマイコン２３は、低電力で動作し、常にＣＥＣライン４２から転送されてくるＣＥＣメッセージを監視する。モニターマイコン２３は、サブＣＰＵであって、リモコン装置Ｒからのリモコン信号を受信するリモコン受光部２６を制御している。そして装置のスタンバイモードなどにおいてメインマイコン２１の電源がオフされているときでも、モニターマイコン２３が動作し、ＣＥＣメッセージの送受信とリモコン信号の受信とが可能な状態で維持している。
【００３８】
また、通信Ｉ／Ｆ２５は、ＨＤＭＩ以外でレコーダ１０との通信を行うためのもので、例えば、ＩＥＥＥ１３９４や、ＬＡＮ、ＰＬＣ、無線通信、光通信などの通信手段によりレコーダ１０と接続することもできる。
また、ＬＡＮＩ／Ｆ２８は、ＨＤＭＩコネクタ２７を介してＨＤＭＩケーブル４０内のＨＥＣライン４３と接続され、レコーダ１０との間でイーサネット（登録商標）信号の双方向通信を可能とする。このＬＡＮＩ／Ｆ２８は、ＨＤＭＩレシーバ２２に内蔵されていてもよい。
【００３９】
また、記憶部２９は、ＨＤＭＩにおける論理アドレス、物理アドレスを記憶すると共に、後述する表示領域情報などを記憶するＥＥＰＲＯＭなどの不揮発性メモリである。記憶部２９は、モニターマイコン２３あるいはメインマイコン２１により必要に応じてアクセスされ、データの読み出しや書き込みが実行される。なお、記憶部２９は、ＥＥＰＲＯＭに限定されず、例えば、ＨＤ（ハードディスク）や、フラッシュメモリなどであってもよい。
【００４０】
また、表示部３０は、ＬＣＤ（Liquid Crystal Display）などのディスプレイで構成される。ＴＶ２０では、ＨＤＭＩレシーバ２２によりストリームの映像／音声が分離され、必要に応じて所定の映像信号処理及び音声信号処理を行って、表示部３０に映像表示を行うと共に、図示しないスピーカから音声出力する。
【００４１】
本発明の主たる特徴部分は、周辺機器毎に状態情報などの機器関連データをカスタマイズして表示可能とすることで、周辺機器の情報表示における拡張性を高めることができるようにすることである。上記例では、表示装置がＴＶ２０に、周辺機器がレコーダ１０にそれぞれ相当する。
【００４２】
ＴＶ２０は、レコーダ１０の機器関連データを配置する表示領域を識別するための領域識別情報を含む表示領域情報を記憶した記憶手段に相当する記憶部２９を備える。この表示領域情報とは、後述の図３（Ａ）で説明するように、領域識別情報以外に、表示領域のサイズ（３８４×２７０）、表示位置（１５３６，０）、表示色数（２５６色）を含む情報である。また、領域識別情報とは、機器関連データを配置する表示領域を識別するための情報であり、例えば、表示領域が３つある場合、それぞれの表示領域に、識別番号として、“１，２，３”を付与しておく。
【００４３】
レコーダ１０は、ＴＶ２０から取得した表示領域情報に応じて、レコーダ１０の機器関連データを領域識別情報に対応付けてＴＶ２０に送信する機器関連データ送信手段に相当するＬＡＮＩ／Ｆ１８を備える。機器関連データは、例えば、レコーダ１０の動作状態を示す状態情報であり、レコーダ１０の場合、例えば、タイトル、チャプタ、再生時間、時刻、チャンネルなどの情報である。レコーダ１０は、この機器関連データを、識別番号“１”の表示領域に割り当てる場合には、機器関連データを、識別番号“１”に対応付けてＴＶ２０に送信する。なお、どの機器関連データをどの表示領域に割り当てるかはレコーダ１０側で予め決めておけばよい。
【００４４】
そして、ＴＶ２０は、レコーダ１０から送信された機器関連データを、領域識別情報（上記の識別番号“１”）で識別される表示領域に配置して表示する。ここで、レコーダ１０は、レコーダ１０の動作状態が変化したときに、変化した動作状態をＴＶ２０に送信し、ＴＶ２０は、レコーダ１０から送信された動作状態に基づいて、画面表示中の状態情報を更新する。動作状態の変化とは、レコーダ１０で再生中のコンテンツのチャプタ番号が変化した場合などである。このような場合に、レコーダ１０からＴＶ２０に、変化したチャプタ番号を送信し、ＴＶ２０は、レコーダ１０から送信されたチャプタ番号により画面表示中のチャプタ番号を更新する。
【００４５】
また、ＴＶ２０で画面表示中の状態情報を更新する方法の他の例として、ＴＶ２０が、レコーダ１０からその動作状態を定期的に取得し、取得した動作状態に基づいて、画面表示中の状態情報を更新するようにしてもよい。この方法の場合、レコーダ１０の動作状態が変化したか否かに係らず、ＴＶ２０はレコーダ１０の動作状態を定期的に取得するため、レコーダ１０からＴＶ２０へ毎回データを送信することになり通信負荷が大きくなることが考えられる。そこで、レコーダ１０が、レコーダ１０の動作状態が変化したか否かを示すフラグを備えるようにしてもよい。ＴＶ２０は、レコーダ１０にアクセスした際にこのフラグを参照し、フラグによりレコーダ１０の動作状態が変化していると判定した場合に、変化した動作状態をレコーダ１０から取得する。すなわち、レコーダ１０の動作状態に変化がなければ、ＴＶ２０はレコーダ１０から動作状態を取得しないため、この動作状態のデータを送信しなくてすみ通信負荷を軽減することができる。
【００４６】
また、ユーザ操作に従って、ＴＶ２０で情報表示画面が閉じられた場合には、その旨をＴＶ２０からレコーダ１０に通知し、レコーダ１０に、情報表示に係る通信終了のタイミングを通知することが望ましい。
【００４７】
このように本発明によれば、周辺機器毎に状態情報などの機器関連データをカスタマイズして表示することができるため、周辺機器の情報表示における拡張性を高めることができる。
【００４８】
ここで、レコーダ１０は、ＴＶ２０から表示領域情報を取得するが、ＨＤＭＩ接続の場合、例えば、ＥＤＩＤを利用する第１の方法と、ＣＥＣメッセージのベンダコマンドを利用する第２の方法とが考えられる。
【００４９】
ＨＤＭＩ規格に準拠したシンク機器（ここではＴＶ２０）は、ＥＤＩＤを内部メモリに持っている。このＥＤＩＤは、ＴＶと接続されるソース機器（ここではレコーダ１０）に、ＴＶの機種名、設定値（解像度など）を伝えるためのＴＶ独自のＩＤであり、ＥＤＩＤのやり取りにはＨＤＭＩのコントロール信号ライン（Ｉ２Ｃ）が用いられる。例えば、レコーダ１０がＴＶ２０とＨＤＭＩ接続された際に、ＴＶ２０へアクセスしてＥＤＩＤを読み取り、ＴＶ２０に応じた解像度で映像を出力することができる。
【００５０】
上記第１の方法では、ＥＤＩＤの中に表示領域情報を書き込んでおく。これにより、レコーダ１０がＴＶ２０にアクセスしたときに、ＥＤＩＤの中に含まれる表示領域情報を読み込んで取得することができる。
また、上記第２の方法では、ＴＶ２０からレコーダ１０に対して、表示領域情報をＣＥＣメッセージに付加して送信する。このＣＥＣメッセージとしては、例えば、メーカが独自に定義することができるベンダコマンドを利用することが考えられる。
【００５１】
ここで、ＴＶ２０は、入力映像信号の表示領域と、レコーダ１０の機器関連データの表示領域とが重ならないように、入力映像信号のスケーリングを行うが、これについて以下に説明する。
【００５２】
図３は、ＴＶ２０の表示画面におけるレコーダ１０の機器関連データの表示領域の設定例を説明するための図である。図３（Ａ）はレコーダ１０の機器関連データを表示する情報表示領域及びレコーダ１０の操作パネルを表示する操作パネル表示領域の設定例を示し、図３（Ｂ）は操作パネルを構成する操作ボタン用画像データを配置するための行列パターン（配置情報）を示す。
【００５３】
図３（Ａ）の例では、ＴＶ２０における表示部３０の画面仕様として、１ライン当たり（水平方向）の有効画素数を１９２０画素、垂直方向の有効画素数を１０８０画素としている。そして、映像信号の表示領域のサイズを１５３６×１０８０とし、レコーダ１０の機器関連データの情報表示領域のサイズを３８４×２７０、機器関連データの表示位置を（１５３６，０）としている。
【００５４】
また、レコーダ１０の操作パネルの操作パネル表示領域のサイズを３８４×８１０とし、操作パネルの表示位置を（１５３６，２７０）としている。このようにして、ＴＶ２０では予めレコーダ１０の機器関連データ及び操作パネルの表示領域を設定しておく。そして、ＴＶ２０は、上記映像信号の表示領域サイズ（１５３６×１０８０）に合わせて、入力映像信号をスケーリングして表示する。なお、機器関連データ及び操作パネルの表示領域サイズは、ＴＶ２０のインチサイズに応じて適宜決定すればよい。
【００５５】
例えば、ユーザはＴＶ２０である番組を視聴中に、リモコン装置Ｒを操作することにより、レコーダ１０の機器関連データ及び操作パネルを表示させた場合に、番組の映像信号がスケーリングされるため、番組映像と、機器関連データ及び操作パネルの表示領域とが重ならないようにすることができる。このため、視聴中の番組映像が機器関連データ及び操作パネルで隠されることがなく、視認性が劣化することがない。
【００５６】
以下、上記操作パネルへの操作ボタン用画像データの配置方法について説明する。ＴＶ２０は、レコーダ１０の操作パネルを構成する操作ボタン用画像データを画面上に配置するための配置情報（図３（Ｂ）の行列パターン）を含む操作パネル情報を記憶した記憶部２９を備える。また、レコーダ１０は、操作ボタン用画像データを記憶した記憶部１９と、ＴＶ２０から取得した操作パネル情報に応じて、記憶部１９に記憶されている操作ボタン用画像データを配置情報に対応付けてＴＶ２０に送信するＬＡＮＩ／Ｆ１８とを備える。ＴＶ２０は、レコーダ１０の操作パネルを表示する際に、レコーダ１０から送信された操作ボタン用画像データを、配置情報に対応する位置に配置して表示する。
【００５７】
そして、ＴＶ２０は、操作ボタン用画像データのいずれかがユーザにより選択指示された場合、選択指示された画像データの配置情報をレコーダ１０に送信する。レコーダ１０は、ＴＶ２０に送信した配置情報と操作ボタン用画像データそれぞれに割り当てられた機能とを対応付けたデータテーブルを備え、レコーダ１０から送信された画像データの配置情報に対応する機能を、このデータテーブルから特定し、特定した機能を実行するように制御される。なお、データテーブルは、レコーダ１０の記憶部１９に格納されているものとする。
【００５８】
この操作パネル情報は、具体的には、上記の配置情報以外に、操作パネルの表示領域サイズ、表示位置、表示色数、さらに、操作ボタン用の画像データの表示サイズを含むものとする。また、配置情報は、操作ボタン用画像データの配置可能な位置及び個数を、行列パターンで示したものである。図３（Ｂ）に示す行列パターンの例では、１つの操作ボタン用画像データの表示サイズを１２８×１２８として、これらの画像データを３列（Ａ，Ｂ，Ｃ）×５行（１，２，３，４，５）の行列形式で配置するようにしている。ここでは操作ボタン用画像データを１５個配置することができる。そして、ＴＶ２０は、３列×５行における各座標（ここでは、Ａ列１行、Ａ列２行、…）を管理しており、レコーダ１０から操作ボタン用画像データとその対応座標とを受け取ると、その対応座標に応じた位置に操作ボタン用画像データを配置する。
【００５９】
上記において、操作ボタン用画像データとは、操作ボタンとして機能し操作ボタンそのものとして使用される画像データと、操作ガイダンス（操作説明）などのように表示のみに使用される画像データとを含む。また、画像データの形式は、ビットマップ、ＪＰＥＧ（Joint Photographic Experts Group）などの画像を扱える形式であればよい。
【００６０】
ここで、レコーダ１０が、ＴＶ２０から配置情報として、３列×５行を取得すると、例えば、Ａ列１行に「電源ボタン」の画像データ、Ａ列２行に「再生ボタン」の画像データのように、操作ボタン用画像データを割り当てて、操作ボタン用画像データと配置情報とを対応付けてＴＶ２０に送信する。レコーダ１０はこのときの対応関係（画像データ、配置、機能）をデータテーブルとして記憶部１９に保存しておく。そして、ＴＶ２０は、レコーダ１０から送信された操作ボタン用画像データを、その配置情報で示される位置（座標ともいう）に応じて配置して表示する。
【００６１】
このようにして、ＴＶ２０はレコーダ１０の操作ボタン用画像データを含む操作パネルを表示することができるが、ＴＶ２０は操作パネルの表示領域を提供するだけでよく、レコーダ１０側でどの位置にどの操作ボタンの画像データを配置するか決定しているため、本発明による情報表示領域拡張機能に対応していれば、どのような周辺機器であっても操作パネルの表示が可能となる。
【００６２】
また、ＴＶ２０は、ユーザがリモコン装置Ｒを操作して、画面上の操作ボタン用画像データのいずれかが選択指示された場合、当該操作ボタンの操作コマンドではなく、操作ボタン用画像データの座標をレコーダ１０に送るだけでよい。レコーダ１０では、ＴＶ２０から送信された座標に基づいて、対応する機能を特定し、これを実行することができる。例えば、座標が「Ａ列２行（Ａ２）」であれば、「再生ボタン」が割り当てられているため、レコーダ１０では再生を実行する。
【００６３】
このように、表示装置側で操作パネルを保持しているか否かに係らず周辺機器毎に操作パネルをカスタマイズして表示することができるため、周辺機器の操作における拡張性を高めることができる。
【００６４】
前述したように、表示領域情報は、機器関連データの表示領域サイズ、表示位置、表示色数、さらに、表示領域を識別するための領域識別情報の４つの情報で構成されるが、本例の場合、順に、３８４×２７０、（１５３６，０）、２５６色、識別番号“１”となる。そして、この表示領域情報は、ＴＶ２０がレコーダ１０にＣＥＣメッセージを用いて送信するか、あるいは、レコーダ１０がＴＶ２０のＥＤＩＤを読み取ることにより、レコーダ１０にて取得される。
【００６５】
図４は、レコーダ１０の機器関連データをレイアウトした後の表示サイズの一例を示す図である。レコーダ１０は、ＴＶ２０から送信された表示領域サイズ（３８４×２７０）に収まるように、例えば、タイトル、チャプタ、再生時間、時刻、チャンネルなどの機器関連データをレイアウトする。本例では機器関連データの文字列（動作状態、タイトル、チャプタ、再生時間）を１列３行にレイアウトし、表示サイズが３５６×２２２となるようにしている。この機器関連データは、文字データ以外であってもよく、例えば、タイトルのサムネイル画像を表示させる場合には画像データであってもよい。このようにしてレコーダ１０は、機器関連データを領域識別情報に対応付けてＴＶ２０に送信する際に、その領域識別情報で識別される表示領域に収まるように、機器関連データをレイアウトできるため、ＴＶ２０側では機器関連データの表示領域を提供するだけでよく、ＴＶ２０側の処理負荷が大幅に軽減される。
【００６６】
また、後述の図９で説明するように、上記レイアウト後の機器関連データ（表示サイズ：３５６×２２２）の表示領域における配置位置を、ＴＶ２０から送信された表示領域のサイズに合わせて調整するためのオフセット情報を送信するようにしてもよい。
【００６７】
図５〜図７は、ＴＶ２０の画面において、レコーダ１０の機器関連データを表示する情報表示領域の配置例を示す図である。図５の例は、画面右側部に表示エリア１を設け、表示エリア１に、レコーダ１０の機器関連データを表示する情報表示領域（１）と、レコーダ１０の操作パネルを表示する操作パネル表示領域とを配置している。また、図６の例は、表示エリア１に加えて、画面下部に表示エリア２を設け、表示エリア２に、レコーダ１０の機器関連データを表示する情報表示領域（２）を配置している。また、図７の例は、表示エリア１に加えて、画面上部に表示エリア３を設け、表示エリア３に、レコーダ１０の機器関連データを表示する情報表示領域（３）を配置し、画面下部に表示エリア４を設け、表示エリア４に、レコーダ１０の機器関連データを表示する情報表示領域（４）を配置している。なお、情報表示領域（１）〜（４）には、それぞれ領域識別情報として、識別番号“１”〜“４”が割り当てられているものとする。
【００６８】
図８は、レコーダ１０がＴＶ２０から表示領域情報を取得する方法の一例を説明するための図である。ここで、ＴＶ２０に接続されるレコーダ１０が必ずしも本発明による情報表示領域拡張機能（すなわち、本発明の周辺機器情報表示システムによる情報表示機能）に対応しているとは限らない。そこで本例では、ＴＶ２０とレコーダ１０とがＨＤＭＩ接続されたときに、ＴＶ２０からレコーダ１０に対応レベルを問い合わせ、その結果に応じてＴＶ２０からレコーダ１０に表示領域情報を送信するように構成される。
【００６９】
まず、ＴＶ２０は、レコーダ１０に対して、本発明による情報表示領域拡張機能に対応しているか否かを判定するための対応レベルを問い合わせ（Ｓ１）、レコーダ１０は、ＴＶ２０に対して、自身の対応レベルを返信（通知）する（Ｓ２）。レコーダ１０は、予め自身の対応レベルを内部メモリに保持しており、例えば、未対応であれば“レベル１”、また、対応であれば“レベル２”がそれぞれ保持されているものとする。
【００７０】
そして、ＴＶ２０は、レコーダ１０から返信された対応レベルに基づいて、レコーダ１０が情報表示領域拡張機能に対応しているか否かを判定する（Ｓ３）。ここで、レコーダ１０からの返信が“レベル２”であれば、対応機器と判定し（ＹＥＳの場合）、レコーダ１０に表示領域情報を送信する（Ｓ４）。また、Ｓ３において、レコーダ１０からの返信が“レベル１”であれば、未対応機器と判定し（ＮＯの場合）、エラー表示を行う（Ｓ５）。なお、ＴＶ２０は、上記Ｓ１の問い合わせに対する返信がない場合には、レコーダ１０が未対応と判定してもよい。
【００７１】
なお、本例において、ＴＶ２０とレコーダ１０との通信には、例えば、ＣＥＣメッセージのベンダコマンドを利用することができるが、通信手段としてはＣＥＣに限定されるものではない。
【００７２】
図９は、レコーダ１０における表示サイズ最適化処理の一例を説明するための図である。まず、ＴＶ２０は、前述の図８で説明したように、レコーダ１０が情報表示領域拡張機能に対応していることを確認した場合、レコーダ１０に表示領域情報を送信する（Ｓ１１）。本例では、表示領域情報として、前述の図３（Ａ）に示したように、機器関連データの表示領域サイズ：３８４×２７０、表示位置：（１５３６，０）、表示色数：２５６色、領域識別情報：識別番号“１”が送信される。
【００７３】
次に、レコーダ１０は、ＴＶ２０から送信された表示領域情報に応じて、機器関連データの表示サイズの最適化処理を行う（Ｓ１２）。ここでは、ＴＶ２０から送信された機器関連データの表示領域サイズ（３８４×２７０）に収まるように、レコーダ１０の機器関連データをレイアウトし、その表示サイズを３５６×２２２（図４）とする。ここでは、レイアウト後の機器関連データの表示サイズと、ＴＶ２０から送信された表示領域サイズとが一致しないため、レコーダ１０は、レイアウト後の機器関連データの配置位置を、ＴＶ２０から送信された表示領域サイズに合わせて調整するためのオフセット計算を行う。
【００７４】
図１０に示すように、ＴＶ２０の表示領域サイズはＷｔ×Ｈｔ（３８４×２７０）であり、機器関連データの表示サイズはＷｒ×Ｈｒ（３５６×２２２）であるため、ＴＶ２０の表示領域サイズのほうが機器関連データの表示サイズよりも大きい。このような場合には、例えば、機器関連データをセンタリング表示するためのオフセット計算を行うようにしてもよい。具体的には、
ｘ＝（Ｗｔ−Ｗｒ）／２＝１４、ｙ＝（Ｈｔ−Ｈｒ）／２＝２４、
と算出され、オフセット量（ｘ＝１４，ｙ＝２４）を求めることができる。そして、レコーダ１０は、ＴＶ２０に対して、機器関連データを送信する際に、求めたオフセット量をオフセット情報として送信する。
【００７５】
また、レコーダ１０は、機器関連データの表示サイズを、ＴＶ２０から送信された表示領域サイズに合わせてリサイズしてもよい。すなわち、機器関連データの文字サイズあるいは画像サイズをＴＶ２０の表示領域サイズに合わせてリサイズする。例えば、上記のように、機器関連データの表示サイズ＜ＴＶ２０の表示領域サイズの場合、ＴＶ２０の表示領域サイズ内に収まる範囲で、機器関連データの文字サイズあるいは画像データを拡大する。
【００７６】
図９において、レコーダ１０は、上記のようにして表示領域の最適化処理を行った後に、ＴＶ２０に機器関連データを送信する（Ｓ１３）。この機器関連データには、状態情報などの機器関連データ、配置する表示領域を識別するための領域識別情報（例えば、識別番号“１”）のほかに、機器関連データのオフセット情報（例えば、ｘ＝１４，ｙ＝２４）と、機器関連データの属性（例えば、表示のみ、ブランクのいずれか）とが含まれる。そして、レコーダ１０は、ＴＶ２０に機器関連データの送信完了通知を通知し（Ｓ１４）、ＴＶ２０は、レコーダ１０から送信された機器関連データに基づいて、データ表示処理を行う（Ｓ１５）。
【００７７】
なお、レコーダ１０からＴＶ２０へのデータ送信処理では、画像データを送信する場合もあるため、ＨＤＭＩ  ＣＥＣライン４２と比べて通信速度の速いＨＤＭＩ  ＨＥＣライン４３を使用することで、より高速なデータ送信が可能となる。
【００７８】
図１１は、機器関連データを領域１に配置する場合の処理の一例を説明するための図である。レコーダ１０は、ＴＶ２０に対して、領域１（識別番号“１”）について機器関連データの送信開始を通知する（Ｓ２１）。そして、レコーダ１０は、ＴＶ２０に対して、機器関連データ（タイトル、チャプタなど）を送信し（Ｓ２２）、図１０に示したオフセット情報（ここではｘ＝１４，ｙ＝２４）を送信し（Ｓ２３）、機器関連データの属性（ここでは“表示のみ”）を通知する（Ｓ２４）。最後に、レコーダ１０は、ＴＶ２０に対して、領域１について機器関連データの送信完了を通知する（Ｓ２５）。
【００７９】
図１２は、情報表示領域の領域２をブランクにする場合の処理の一例を説明するための図である。レコーダ１０は、ＴＶ２０に対して、領域２（識別番号“２”）について機器関連データの送信開始を通知する（Ｓ３１）。そして、レコーダ１０は、ＴＶ２０に対して、機器関連データの属性（ここでは“ブランク”）を通知する（Ｓ３２）。最後に、レコーダ１０は、ＴＶ２０に対して、領域２について機器関連データの送信完了を通知する（Ｓ３３）。本例の場合、機器関連データの属性が“ブランク”であるため、領域２（識別番号“２”）には何も表示されない。
【００８０】
以下、本発明による周辺機器情報表示システムの動作例について、図１３〜図１５に示すＴＶ２０の画面遷移に基づいて説明する。
図１３は、ＴＶ２０に複数の周辺機器を接続した場合の機器関連データの表示手順の一例を示す図である。ここでは、ＴＶ２０に１台のＡＶアンプ５０が接続され、このＡＶアンプ５０に３台のレコーダ１０１，１０２，１０３が接続されている場合について示す。ＴＶ２０、ＡＶアンプ５０、及びレコーダ１０３は電源がオンされ、レコーダ１０１及びレコーダ１０２は電源がオフされているものとする。
【００８１】
まず、ユーザがレコーダ１０２の電源をオンした後に（Ｓ４１）、リモコン装置Ｒを操作して、ＴＶ２０に接続されている周辺機器一覧２０１を表示させる（Ｓ４２）。この周辺機器一覧２０１には、現在ＴＶ２０に接続されている機器名が表示される。レコーダ１０１、レコーダ１０２、レコーダ１０３、ＡＶアンプ５０がそれぞれ一覧のレコーダ１、レコーダ２、レコーダ３、ＡＶアンプに相当する。この際、電源オフされているレコーダ１の表示はグレーアウトされている。
【００８２】
上記の周辺機器一覧２０１において、直前に電源がオンされたレコーダ２はアクティブ機器として認識され、周辺機器一覧２０１では他の機器と識別できるように太枠で強調表示される。また、電源オフされているレコーダ１を選択することにより、レコーダ１の電源をオンして、レコーダ１を操作することもできる。この場合には、レコーダ１の表示が強調表示される。
【００８３】
そして、ユーザがリモコン装置Ｒを操作して、この周辺機器一覧２０１の中で機器関連データを表示させたい機器を選択すると、その機器に対応した機器関連データが表示される。機器関連データの表示例としては、前述の図５に示した位置に表示される。また、機器関連データの他の表示例として、図１４に示すように、周辺機器一覧２０１の下に、ユーザが選択した機器の機器関連データ２０２を表示するようにしてもよい。この例では、レコーダ２が選択されており、このレコーダ２の機器関連データ２０２が表示されている。
【００８４】
図１５は、本発明に係る機器関連データの表示例について説明するための図である。この例では、周辺機器の状態などの機器関連データを表示する情報表示領域２０３に加えて、操作ボタン用画像データの操作パネル表示領域２０４を設けている。機器関連データとは、レコーダ１０の例の場合、現在再生中の番組コンテンツについて、タイトル、チャプタ、再生時間、時刻、チャンネルなどの情報である。また、レコーダ１０は、レコーダ１０の動作状態が変化したときに、変化した動作状態をＴＶ２０に送信し、ＴＶ２０は、レコーダ１０から送信された動作状態に基づいて、画面表示中の状態情報を更新することができる。動作状態の変化とは、例えば、レコーダ１０で再生中のコンテンツのチャプタ番号が変化した場合などである。
【００８５】
前述したように、ＴＶ２０は、画面上に配置する情報表示領域の配置位置、サイズを予め決めておき、この情報表示領域を識別するための領域識別情報を付与しておく。そして、ＴＶ２０はこの情報表示領域の配置位置、サイズ、及び領域識別情報からなる表示領域情報を保持しておく。ＴＶ２０からレコーダ１０に表示領域情報が送信されると、レコーダ１０側で機器関連データを配置する情報表示領域を決定し、この領域の領域識別情報を機器関連データと共にＴＶ２０に送信する。ＴＶ２０では、レコーダ１０から送信された機器関連データを、その領域識別情報で識別される情報表示領域に表示する。
【００８６】
図１５において、まず、ＴＶ２０は、前述の図４で説明したように、レコーダ１０が情報表示領域拡張機能に対応していることを確認した場合、表示領域情報をレコーダ１０に送信する（Ｓ５１）。これを受けてレコーダ１０は、機器関連データとその機器関連データを表示する情報表示領域の領域識別情報とをＴＶ２０に送信する。そして、ＴＶ２０は、レコーダ１０から送信された機器関連データを、その領域識別情報に対応する情報表示領域２０３に配置し、操作パネル表示領域２０４に配置された操作ボタン用画像データと共に表示する（Ｓ５２）。
【００８７】
なお、上記の実施形態では、通信手段として、ＨＤＭＩ、ＨＤＭＩ ＣＥＣ、ＨＤＭＩ ＨＥＣを代表例として説明したが、これに限定されるものではなく、ＩＥＥＥ１３９４、ＬＡＮ、電力線通信、無線通信、光通信などを利用してもよい。また、周辺機器としてレコーダを代表例として説明したが、これに限定されるものではない。以下に、対応可能な周辺機器とその表示内容、操作内容の一例を示す。
（１）レコーダやプレーヤでは、再生中番組名、再生時間、チャプタ、トラック、録画タイマなどの情報を表示でき、選局操作、再生操作、録画操作等の操作ができる。
（２）オーディオ機器では、ボリューム、入力モード、サウンドモードなどの情報を表示でき、ボリューム操作、入力モード切り替え、サウンドモード切り替え等の操作ができる。
（３）洗濯機では、図１６に示すように洗濯の状態（洗い／すすぎ／脱水／乾燥）などの情報を表示でき、動作モードの切り替え、選択動作の開始、一時停止、停止等の操作ができる。
（４）冷蔵庫では、庫内の温度（冷蔵室／冷凍室／保温室）、イオン発生濃度（イオン発生器を備える場合）などの情報を表示でき、庫内の温度調節、付加機能の設定等の操作ができる。
【００８８】
（５）エアコンでは、室温、風向き、風量、機能（冷房／暖房／除湿／送風）、タイマ、イオン発生濃度（イオン発生器を備える場合）などの情報を表示でき、設定温度変更、動作モード切り換え、タイマ設定、動作の開始、一時停止、停止等の操作ができる。
（６）掃除機では、ごみ捨て時期、フィルタ目詰まりのお知らせなどの情報を表示でき、動作モードの変更、動作の開始、一時停止、停止等の操作ができる。
（７）空気清浄機や加湿器や除湿機では、温度、湿度、空気の状態（きれい／汚い）などの情報を表示でき、動作モードの変更、動作の開始、一時停止、停止等の操作ができる。
（８）イオン発生器では、イオン発生濃度などの情報を表示でき、動作モードの変更、動作の開始、一時停止、停止等の操作ができる。
【００８９】
（１０）太陽光発電装置では、発電量、発電量に相当する消費量、天気などの情報を表示でき、動作モードの変更、動作の開始、一時停止、停止等の操作ができる。
（１１）携帯電話機では、電話着信、メール着信のお知らせなどの情報を表示でき、動作モードの変更、各種設定の変更、発信・受信等の操作ができる。
（１２）電話機やファクシミリ、液晶表示付電話機では、着信のお知らせ、相手の名前、写真などの情報が表示でき、動作モードの変更、各種設定の変更、発信・受信等の操作ができる。
（１３）フォトプレーヤでは、写真、サムネイル、リストなどの情報が表示でき、動作モードの変更、動作の開始、一時停止、停止等の操作ができる。
【００９０】
（１４）プロジェクタでは、画質モードなどの情報が表示でき、動作モードの変更、動作の開始、一時停止、停止等の操作ができる。
（１５）電子レンジやオーブンレンジ、オーブントースタでは、調理時間、調理完了のお知らせ、オーブン内温度などの情報が表示でき、動作モードの変更、動作の開始、一時停止、停止等の操作ができる。
（１６）炊飯器では、調理時間、調理完了のお知らせなどの情報が表示でき、動作モードの変更、動作の開始、一時停止、停止等の操作ができる。
（１７）複合機や複写機では、用紙の残量、インクの残量などの情報が表示でき、動作モードの変更、動作の開始、一時停止、停止等の操作ができる。
（１８）ワイアレスカメラシステム（リビングドアスコープ）では、ドアホンのお知らせ、図１７に示すように来訪者の顔などの画像データが表示でき、動作モードの変更、応答等の操作ができる。
【符号の説明】
【００９１】
１０…レコーダ、１１…ＨＤＭＩトランスミッタ、１２，２１…メインマイコン、１３…フロントマイコン、１４，２４…ＣＥＣＩ／Ｆ、１５，２５…通信Ｉ／Ｆ、１６，２６…リモコン受光部、１７，２７…ＨＤＭＩコネクタ、１８，２８…ＬＡＮＩ／Ｆ、１９，２９…記憶部、２０…ＴＶ、２２…ＨＤＭＩレシーバ、２３…モニターマイコン、３０…表示部、４０…ＨＤＭＩケーブル、４１…ＴＭＤＳライン、４２…ＣＥＣライン、４３…ＨＥＣライン。
【図１】
2011040152.tif 000003
【図２】
2011040152.tif 000004
【図３】
2011040152.tif 000005
【図４】
2011040152.tif 000006
【図５】
2011040152.tif 000007
【図６】
2011040152.tif 000008
【図７】
2011040152.tif 000009
【図８】
2011040152.tif 000010
【図９】
2011040152.tif 000011
【図１０】
2011040152.tif 000012
【図１１】
2011040152.tif 000013
【図１２】
2011040152.tif 000014
【図１３】
2011040152.tif 000015
【図１４】
2011040152.tif 000016
【図１５】
2011040152.tif 000017
【図１６】
2011040152.tif 000018
【図１７】
2011040152.tif 000019
【国際調査報告】
2011040152.tif 000020
2011040152.tif 000021
2011040152.tif 000022
2011040152.tif 000023